(57)【要約】【課題】本発明は、使用者が取り外したり取り付けたりすることができると共にコンセントが露出せず、しかも電気コードが垂れ下がらないので室内の景観を損なわない室内側換気扇を提供する。【解決手段】室内側換気扇１０の換気扇本体１２には換気扇本体１２のモーターに一端部が接続された電気コード１６が配設されている。この電気コード１６の他端部にはプラグ１８が取り付けられている。換気扇本体１２の室内側には換気扇カバー２２が配設され、換気扇本体１２、電気コード１６やプラグ１８を差し込むコンセント２０を完全に覆い隠せるようになっている。換気扇カバー本体２６の正面板部３２にはスライドパネル３４が左右方向にスライド可能に配設されている。また、正面板部３２には右半分にのみ換気開口部４０が形成されている。【選択図】    図１
2004309066.tif 000002
【特許請求の範囲】
【請求項１】
モーターやファンを内蔵する換気扇本体と、一端部が前記モーターに接続されると共に他端部にプラグが取り付けられた電気コードと、前記換気扇本体の室内側に配設されると共に前記換気扇本体及び前記プラグが差し込まれるコンセントを覆い隠す換気扇カバーと、この換気扇カバーの正面板部に貫通形成された換気開口部と、前記正面板部の室内側にスライド可能に配設されると共にスライドさせることにより前記換気開口部の開口面積を変えることにより換気量を調整することができるスライドパネルと、を有してなることを特徴とする室内側換気扇。
【請求項２】
モーターが収容されたモーター収容部とファンが収容されたファン収容部を有して成る換気扇本体と、一端部が前記モーターに接続されると共に他端部にプラグが取り付けられた電気コードと、前記換気扇本体の室内側に配設されると共に前記換気扇本体及び前記プラグが差し込まれるコンセントを覆い隠す換気扇カバーと、この換気扇カバーを構成する換気扇カバー本体と、この換気扇カバー本体の正面板部の上部と下部に形成された横長状の爪スライド部と、前記正面板部に貫通形成された横長状の換気開口部と、前記正面板部の室内側にスライド可能に取り付けられるスライドパネルと、このスライドパネルの背面上部と下部に突設されると共に前記爪スライド部に係止されるパネル爪と、を有してなることを特徴とする室内側換気扇。
【請求項３】
モーターが収容されたモーター収容部とファンが収容されたファン収容部を有して成る換気扇本体と、一端部が前記モーターに接続されると共に他端部にプラグが取り付けられた電気コードと、前記換気扇本体の外側に設けられて前記電気コードの中間部が収容される電気コード収容部と、前記換気扇本体の室内側に配設されると共に前記換気扇本体及び前記プラグが差し込まれるコンセントを覆い隠す換気扇カバーと、この換気扇カバーを構成する換気扇カバー本体と、この換気扇カバー本体の正面板部の上部と下部に形成された横長状の爪スライド部と、前記正面板部の左右方向片側に貫通形成された横長状の換気開口部と、前記正面板部の室内側にスライド可能に取り付けられるスライドパネルと、このスライドパネルの背面上部と下部に突設されると共に前記爪スライド部に係止されるパネル爪と、を有してなることを特徴とする室内側換気扇。
【発明の詳細な説明】
【０００１】
【発明の属する技術分野】
本発明は、建築物の室内側の壁等に取り付けられて室内の換気を行う室内側換気扇に関する。
【０００２】
【従来の技術】
建築物室内の換気を行うために室内側の壁等に室内側換気扇を取り付ける場合がある。
この室内側換気扇には換気扇本体に内蔵されているモーターの電源を取るために壁内の電気工事によって結線するタイプの室内側換気扇がある。しかし、壁内での結線作業は電気工事の資格を有する作業者でなければ行うことができない。また、壁内で結線すると室内側換気扇が故障したりメンテナンスしたい場合は前記資格を有する作業者でなければ結線工事を行えないので使用者が容易に室内側換気扇を取り外したり取り付けたりすることができない。
また、室内側の壁面にコンセントを設け、換気扇本体に内蔵されたモーターに接続された電気コードのプラグを前記コンセントに差し込むタイプの室内側換気扇であれば前記結線工事は必要が無くなる。
しかし、従来のこのタイプの室外側換気扇はコンセントが露出すると共にコンセントに差し込まれた前記電気コードの中間部が壁面に垂れ下がる等、室内の景観を低下させるという不具合がある。
なお、出願人は本願出願の内容に関する先行技術文献を出願時に知りませんので、先行技術文献は記載しませんでした。
【０００３】
【発明が解決しようとする課題】
本発明は上記事実に鑑みなされたものであり、使用者が取り外したり取り付けたりすることができると共にコンセントが露出せず、しかも電気コードが垂れ下がらないので室内の景観を損なわない室内側換気扇を提供するものである。
【０００４】
【課題を解決するための手段】
請求項１の発明は、モーターやファンを内蔵する換気扇本体と、一端部が前記モーターに接続されると共に他端部にプラグが取り付けられた電気コードと、前記換気扇本体の室内側に配設されると共に前記換気扇本体及び前記プラグが差し込まれるコンセントを覆い隠す換気扇カバーと、この換気扇カバーの正面板部に貫通形成された換気開口部と、前記正面板部の室内側にスライド可能に配設されると共にスライドさせることにより前記換気開口部の開口面積を変えることにより換気量を調整することができるスライドパネルと、を有してなることを特徴としている。
請求項２の発明は、モーターが収容されたモーター収容部とファンが収容されたファン収容部を有して成る換気扇本体と、一端部が前記モーターに接続されると共に他端部にプラグが取り付けられた電気コードと、前記換気扇本体の室内側に配設されると共に前記換気扇本体及び前記プラグが差し込まれるコンセントを覆い隠す換気扇カバーと、この換気扇カバーを構成する換気扇カバー本体と、この換気扇カバー本体の正面板部の上部と下部に形成された横長状の爪スライド部と、前記正面板部に貫通形成された横長状の換気開口部と、前記正面板部の室内側にスライド可能に取り付けられるスライドパネルと、このスライドパネルの背面上部と下部に突設されると共に前記爪スライド部に係止されるパネル爪と、を有してなることを特徴としている。
請求項３の発明は、モーターが収容されたモーター収容部とファンが収容されたファン収容部を有して成る換気扇本体と、一端部が前記モーターに接続されると共に他端部にプラグが取り付けられた電気コードと、前記換気扇本体の外側に設けられて前記電気コードの中間部が収容される電気コード収容部と、前記換気扇本体の室内側に配設されると共に前記換気扇本体及び前記プラグが差し込まれるコンセントを覆い隠す換気扇カバーと、この換気扇カバーを構成する換気扇カバー本体と、この換気扇カバー本体の正面板部の上部と下部に形成された横長状の爪スライド部と、前記正面板部の左右方向片側に貫通形成された横長状の換気開口部と、前記正面板部の室内側にスライド可能に取り付けられるスライドパネルと、このスライドパネルの背面上部と下部に突設されると共に前記爪スライド部に係止されるパネル爪と、を有してなることを特徴としている。
【０００５】
【発明の実施の形態】
図１〜図５には本発明に係る室内側換気扇１０の一実施例が示されている。
図１に示されるように、室内側換気扇１０の換気扇本体１２の本体カバー１４の外側には換気扇本体１２のモーターに一端部が接続された電気コード１６が配設されている。この電気コード１６の他端部にはプラグ１８が取り付けられている。
前記室内側換気扇１０が取り付けられる通気孔（図示せず）の近くの壁室内側面にはコンセント２０（想像線で示す）が設けられている。従って、前記電気コード１６に取り付けられたプラグ１８をコンセント２０に差し込むことができるようになっている。
図２に示されるように、前記換気扇本体１２の室内側には正面視横長の矩形状に形成された換気扇カバー２２が配設されている。この換気扇カバー２２は正面視矩形枠状の枠体２４と正面視矩形状に形成された換気扇カバー本体２６とから構成され、換気扇カバー２２を配設することにより前記換気扇本体１２、電気コード１６やコンセント２０は完全に覆い隠される。
図１に示されるように、前記枠体２４には前記換気扇本体１２が枠体２４の内側に形成された換気扇本体取付部２８によって固定されている。
図３及び図４に示されるように、前記換気扇カバー本体２６の正面板部３２には正面板部３２の略半分の大きさに形成されたスライドパネル３４が左右方向にスライド可能に配設されている。
前記換気扇カバー本体２６の正面板部３２の上部と下部には正面板部３２の一側部３２Ａから他側部３２Ｂ方にかけて爪スライド部としての爪スライド溝孔３６が２つづつ貫通形成されている。
図５に示されるように、これら爪スライド溝孔３６には前記スライドパネル３４の背面上部と背面下部に２つづつ突設されたパネル爪３８が係止状態で収容されている。従って、パネル爪３８が爪スライド溝孔３６を摺動することにより前記スライドパネル３４は正面板部３２を左右方向にスライドできるようになっている。
図３に示されるように前記正面板部３２の右半分には横長の換気開口部４０が上下方向に並んで複数貫通形成され、図４に示されるように前記正面板部３２の左半分には前記爪スライド溝孔３６が貫通形成されているだけで換気開口部４０は形成されていない。
図２に示されるように、前記換気扇カバー本体２６の内側には一定の厚みを有する板状のフィルター４２が配設されている。また、換気扇カバー本体２６の内側でフィルター４２の反室内側には格子状に形成されたフィルター押え４４が配設されて、前記フィルター４２を押えるようになっている。
【０００６】
次に、実施例の作用について説明する。
室内側換気扇１０を取り付ける場合は、前記換気扇本体１２を壁に貫通形成された通気孔に挿入すると共に室内側換気扇１０の電気コード１６に取り付けられたプラグ１８を室内側壁面に設けられたコンセント２０に差し込むことにより室内側に取り付けることができる。
従って、図１に示されるように前記電気コード１６及びコンセント２０は換気扇カバー２２によって完全に覆い隠されるため、電気コード１６やコンセント２０が室内側から見えず、室内の景観を高めることができる。
前記室内側換気扇１０の換気量を調整する場合は換気扇カバー２２にスライド可能に取り付けられているスライドパネル３４を左右方向にスライドさせる。これにより、前記換気開口部４０の開口面積を自由に変えることができる。
従って、前記スライドパネル３４をスライドさせるだけの簡単な操作で換気量の調整を容易に行うことができる。
また、前記室内側換気扇１０は、モーターの電源を取るために壁内の結線工事を必要としないので、故障の修理やメンテナンスを使用者が容易に行うことができると共に、これにより前記室内側換気扇１０の維持費用を抑えることができる。
【０００７】
なお、実施例では前記正面板部３２の右半分にのみ換気開口部４０を貫通形成し正面板部３２の左半分には換気開口部４０を形成しない例を示したが、これに限定されるものでなく、正面板部３２の左半分にも換気開口部４０を形成してもよいことは勿論である。
また、実施例では爪スライド部として正面板部３２を貫通することにより形成された爪スライド溝孔３６を示したが、正面板部３２を貫通させない溝で爪スライド部を形成するようにしてもよい。
【０００８】
【発明の効果】
本発明の室内側換気扇は、電気コード及びコンセントは換気扇カバーによって完全に覆い隠されるので室内の景観が損なわれることを防止できるという優れた効果を有する。
また、本発明の室内側換気扇は、換気扇カバーにスライド可能に取り付けられているスライドパネルをスライドさせるだけの簡単な操作で換気量の調整を容易に行うことができるという優れた効果を有する。
さらに、本発明の室内側換気扇は、モーターの電源を取るために壁内の結線工事を必要とするタイプではないので、故障の修理やメンテナンスを使用者が容易に行うことができると共に維持費用を抑えることができるという優れた効果を有する。
【図面の簡単な説明】
【図１】実施例の室内側換気扇の背面斜視図である。
【図２】実施例の室内側換気扇の分解斜視図である。
【図３】実施例の室内側換気扇の換気開口部を全開した状態の斜視図である。
【図４】実施例の室内側換気扇の換気開口部を全閉した状態の斜視図である。
【図５】図３のＡ−Ａ縦断面図である。
【符号の説明】
１０    室内側換気扇
１２    換気扇本体
１４    本体カバー
１６    電気コード
１８    プラグ
２０    コンセント
２２    換気扇カバー
２６    換気扇カバー本体
３４    スライドパネル
３６    爪スライド溝孔
３８    パネル爪
４０    換気開口部
【図１】
2004309066.tif 000003
【図２】
2004309066.tif 000004
【図３】
2004309066.tif 000005
【図４】
2004309066.tif 000006
【図５】
2004309066.tif 000007